(57)【要約】【課題】  スイッチオン閾値を決定するための方法およびこの方法を実行するための電子回路配置を提供することである。【解決手段】  本発明は、第１の電圧レベルを有する入力電圧信号（４０１）を第２の電圧レベルを有する出力信号（４０２）にコンバートするための電子回路配置を提供する。出力ユニット（２０３）が電子回路配置の出力で出力信号（４０２）を出力するために配置される一方、入力ユニット（１０１）は、第１の電圧レベルで入力電圧信号（４０１）を入力するために提供される。閾値比較ユニット（１０４）は、入力信号（１０１）の第１の電圧レベルをスイッチオン閾値（４０４）と比較するために役に立つ。【選択図】  図１
2008086022.tif 000002
【特許請求の範囲】
【請求項１】
第１の電圧レベルを有する入力電圧信号（４０１）を第２の電圧レベルを有する出力信号（４０２）にコンバートするための電子回路配置であって、
ａ）  前記第１の電圧レベルで前記入力電圧信号（４０１）を入力するための入力ユニット（１０１）と；
ｂ）  前記入力電圧信号（１０１）の前記第１の電圧レベルをスイッチオン閾値（４０４）と比較するための閾値比較ユニット（１０４）と；
ｃ）  前記スイッチオン閾値（４０４）と前記入力電圧信号（１０１）の第１の電圧レベルとの比較に従い前記出力信号（４０２）を出力するための出力ユニット（２０３）と、を具備し、
前記回路配置が、
ｄ）  前記入力電圧信号（１０１）の前記第１の電圧レベルが前記スイッチオン閾値（４０４）を上回った瞬間（４１０）の後で、所定の遅延時間期間（４１１）の後、前記回路配置の入力インピーダンスを低い値から高い値まで変えるための入力インピーダンス転換ユニット（１０３）をさらに具備することを特徴とする電子回路配置。
【請求項２】
所定の遅延時間期間（４１１）の後、前記回路配置の前記入力インピーダンスを低い値から高い値まで変えるための転換信号（４１７）を前記入力インピーダンス転換ユニット（１０３）に送るトリガーユニット（１０６）が提供されることを特徴とする請求項１に記載の回路配置。
【請求項３】
カップラ機器（３００）を介して結合された一次側回路機器（１００）と、二次側回線機器（２００）とが提供されることを特徴とする請求項１に記載の回路配置。
【請求項４】
前記カップラ機器（３００）は、オプトカップラとして形成されていることを特徴とする請求項３に記載の回路配置。
【請求項５】
前記カップラ機器（３００）は、磁気カップラとして形成されることを特徴とする請求項３に記載の回路配置。
【請求項６】
前記閾値比較ユニット（１０４）は、切換ヒステリシスを有することを特徴とする請求項１に記載の回路配置。
【請求項７】
第１の電圧レベルを有する入力電圧信号（４０１）を第２の電圧レベルを有する出力信号（４０２）にコンバートする方法であって、
ａ）  入力ユニット（１０１）により前記第１の電圧レベルで前記入力電圧信号（４０１）を入力するステップと；
ｂ）  閾値比較ユニット（１０４）によりスイッチオン閾値（４０４）と前記入力電圧信号（１０１）の前記第１の電圧レベルとを比較するステップと；
ｃ）  出力ユニット（２０３）により前記スイッチオン閾値（４０４）と前記入力電圧信号（１０１）の第１の電圧レベルとの比較に従って前記出力信号（４０２）を出力するステップと、を具備し、
ｄ）  前記入力電圧信号（１０１）の前記第１の電圧レベルが前記スイッチオン閾値（４０４）を上回った瞬間（４１０）の後、所定の遅延時間期間（４１１）の後、低い値から高い値へと前記回路配置の入力インピーダンスの転換をするステップを更に具備することを特徴とする方法。
【請求項８】
前記入力電圧信号（４０１）の前記第１の電圧レベルがスイッチオン閾値未満である限り、前記回路配置の前記入力インピーダンスが低い値を有することを特徴とする請求項７に記載の方法。
【請求項９】
前記入力電圧信号（４０１）の前記第１の電圧レベルが前記スイッチオン閾値を上回るならば、前記回路配置の前記入力インピーダンスが高い値を有することを特徴とする請求項７に記載の方法。
【請求項１０】
前記入力電圧信号（１０１）の前記第１の電圧レベルが前記スイッチオン閾値（４０４）を上回るならば、前記入力インピーダンス転換ユニット（１０３）が転換の瞬間（４１２）に、前記回路配置の前記入力インピーダンスが低い値から高い値へと変えられることを特徴とする請求項７に記載の方法。
【請求項１１】
スイッチオン瞬間（４１１）の後で、遅延時間期間（４１０）が経過した後、前記入力電圧信号（１０１）の前記第１の電圧レベルが前記スイッチオン閾値（４０４）を上回るならば、前記回路配置の前記入力インピーダンスが、転換の瞬間（４１２）に、高い値から低い値まで変えられることを特徴とする請求項７に記載の方法。
【請求項１２】
前記入力電圧信号（１０１）の前記第１の電圧レベルが前記スイッチオン閾値（４０４）を上回る前記スイッチオン瞬間（４１１）の後で、遅延時間期間の経過した後、転換の瞬間（４１２）に、前記出力信号（４０２）が変わることを特徴とする請求項７に記載の方法。
【請求項１３】
前記スイッチオン瞬間（４１１）から前記転換の瞬間（４１２）までの遅延時間期間（４１０）の間の回路配置への入力電流（４０３）は、前記転換の瞬間（４１２）の後より、より高い電流値を仮定することを特徴とする請求項７に記載の方法。
【発明の詳細な説明】
【技術分野】
【０００１】
本発明は一般に、出力信号に入力信号をコンバートするための電子回路配置（ｅｌｅｃｔｒｏｎｉｃ  ｃｉｒｃｕｉｔ  ａｒｒａｎｇｅｍｅｎｔｓ）に関し、特に、入力されたデジタル入力信号が特定のスイッチング閾値（ｓｗｉｔｃｈｉｎｇ  ｔｈｒｅｓｈｏｌｄ）に到達するときにデジタル出力信号に切り替わる電子回路配置に関する。
【０００２】
特に、本発明は、第１の電圧レベルを有する入力電圧信号を第２の電圧レベルを有する出力電圧信号にコンバートするための電子回路配置と、第１の電圧レベルで入力電圧信号を入力するための入力ユニットでできている設備と、入力信号の第１の電圧レベルをスイッチオン閾値と比較するための閾値比較ユニットと、入力電圧信号の第１の電圧レベルとスイッチオン閾値との比較に従って出力信号を出力するための出力ユニットとに関する。
【背景技術】
【０００３】
第１の電圧レベルを有する入力電圧信号を第２の電圧レベルを有する出力電圧信号にコンバートするための電子回路配置は、知られている。このタイプの従来の電子回路配置は、８０Ｖ〜３００Ｖの広い入力電圧範囲を有する入力電圧信号を、例えば、対応する出力電圧信号にコンバートすることを許容する。電子回路配置がそのような広い入力電圧範囲を有する電圧信号を処理することができるために、電子回路配置の入力は、高インピーダンス入力を有しなければならない。すなわち電子回路配置は、処理されるかまたは増幅される入力電圧信号に対して高入力インピーダンスを有しなければならない。
【０００４】
しかしながら、広い入力電圧範囲の入力電圧信号を処理するための従来の技術で提唱される解は、多数の不利な点を有する。従来の回路配置の１つの主要な不利な点は、高入力インピーダンスが干渉に対する高感受率を有する回路配置をもたらすということである。高インピーダンス入力は、特にチャネル間のクロストーク、混変調影響（ｃｒｏｓｓ−ｍｏｄｕｌａｔｉｏｎ  ｅｆｆｅｃｔｓ）、ノイズ、および、電気的および磁気的なフィールドによって引き起こされる干渉に対して、極めてセンシティブである。
【０００５】
しかしながら、多くのケースにおいて、処理される入力電圧信号のレベルの変化を、例えばスイッチオンの瞬間が正確に検出されることになっているときに、干渉なしで特定することは、絶対に必要である。これは、デジタルすなわちバイナリ信号を検出するときに、特に非常に重要である。このようなデジタルすなわちバイナリ信号は、とても、すでに特定したように、異なったアプリケーションにおいて、大きい入力電圧範囲を有することができる。
【０００６】
従来の電子回路配置の干渉不感域（ｉｎｔｅｒｆｅｒｅｎｃｅ  ｉｍｍｕｎｉｔｙ）を改良するために、このような電子回路配置の入力インピーダンスを減少することは、従来の技術で提唱されていた。これは、考えられる入力電圧範囲の場合（８０Ｖ−３００Ｖ）、高電流に、したがって、不適当な方法のハイパワー損失に至る。入力インピーダンスの減少が、上述した妨害干渉、例えばクロストーク、混変調、ノイズ成分、電気的または磁気的なフィールドによって引き起こされる干渉、および、電磁適合性と関連している問題をいくぶん少なくするのであるが、低い入力インピーダンスで増加された入力電流のための電力損失の増加は、多くのアプリケーションに対して許容されることができなくなる。
【発明の開示】
【発明が解決しようとする課題】
【０００７】
従って、本発明の目的は、大きい入力電圧範囲に対して、入力電圧信号の干渉に対して鈍感となる、出力電圧信号に入力電圧信号をコンバートするための電子回路配置を提供することである。
【課題を解決するための手段】
【０００８】
本発明に係るこの目的は、特許請求項１の形態を具備する、第１の電圧レベルを有する入力電圧信号を第２の電圧レベルを有する出力信号にコンバートするための電子回路配置によって達成される。目的は、特許請求項７で特定される方法によって、さらに、達成される。
【０００９】
本発明の更なる構成は、下位の請求項から現れる。
【００１０】
本発明の１つの主要概念は、スイッチオンの瞬間が干渉なしで検出されることができ、極端に高い入力電流によるハイパワー損失が同時に回避されるといった方法で電子回路配置の入力インピーダンスを変えることにある。極端に高い入力電流は、スイッチオン瞬間の後、遅延時間期間の後に位置する更に先の瞬間で、入力インピーダンスを変えることによって回避される。
【００１１】
その結果として、電子回路配置の低入力インピーダンスがスイッチオン瞬間で提供されることができることは、有利であり、後の瞬間のとき、すなわち干渉によって影響されない信頼性が高いスイッチオンの後、電子回路配置への高入力インピーダンスは、提供されることができる。その結果として、信頼性が高いスイッチオンの後、入力電流は過度に上昇せず、電力損失の増加は、したがって、回避されることができる。
【００１２】
第１の電圧レベルを有する入力電圧信号を第２の電圧レベルを有する出力信号にコンバートするための本発明に係る電子回路配置は、基本的に：
ａ）  第１の電圧レベルで入力電圧信号を入力するための入力ユニットと；
ｂ）    入力電圧信号の第１の電圧レベルをスイッチオン閾値と比較するための閾値比較ユニットと；  
ｃ）  スイッチオン閾値と入力電圧信号の第１の電圧レベルとの比較に従って出力信号を出力するための出力ユニットと、を具備し、
ｄ）  入力電圧信号（１０１）の第１の電圧レベルがスイッチオン閾値（４０４）を上回った瞬間（４１０）の後、所定の遅延時間期間（４１１）の後、回路配置の入力インピーダンスを低い値から高い値へ変えるための入力インピーダンス転換ユニット（ｃｈａｎｇｅｏｖｅｒ  ｕｎｉｔ）でできている設備を有する。
【００１３】
さらにまた、第１の電圧レベルを有する入力電圧信号を第２の電圧レベルを有する出力信号にコンバートするための本発明に係る方法は、基本的に次のステップを有する：
ａ）  入力ユニットにより第１の電圧レベルで入力電圧信号の入力をすることと；
ｂ）  閾値比較ユニットによりスイッチオン閾値と入力電圧信号の第１の電圧レベルとを比較するステップと；
ｃ）  出力ユニットによりスイッチオン閾値と入力電圧信号の第１の電圧レベルとの比較に従って出力信号の出力をするステップと、を具備し、
ｄ）  回路配置の入力インピーダンスが、入力電圧信号（１０１）の第１の電圧レベルがスイッチオン閾値（４０４）を上回った瞬間（４１０）の後、所定の遅延時間期間（４１１）の後、低い値から高い値へ変えられている。
【００１４】
本発明のそれぞれの内容の有利な成果および改良は、下位の請求項に見つかる。
【００１５】
本発明の１つの好適な成果によると、入力インピーダンス転換ユニットに対する所定の遅延時間期間の後、もし入力電圧信号の第１の電圧レベルがスイッチオン閾値を上回るならば、回路配置の入力インピーダンスを低い値から高い値へと変えるための転換信号を送るトリガーユニットは、提供される。
【００１６】
本発明の更に好適な成果によると、カップラ機器を介して結合された一次側回路機器（ｐｒｉｍａｒｙ−ｓｉｄｅ  ｃｉｒｃｕｉｔ  ｄｅｖｉｃｅ）および二次側回線機器（ｓｅｃｏｎｄａｒｙ−ｓｉｄｅ  ｃｉｒｃｕｉｔ  ｄｅｖｉｃｅ）は、提供される。この場合、一次側回路機器は、回路配置の入力インピーダンスを変えるための入力インピーダンス転換ユニットを含む。カップラ機器は、好ましくは磁気カップラとして形成される。より好ましくは、このカップラ機器は、オプトカップラとして形成される。
【００１７】
本発明のさらにもう一つの好適な成果によれば、スイッチオフ閾値が電圧に関してスイッチオン閾値の下に位置するというような方法で、閾値比較ユニットは、切換ヒステリシス（ｓｗｉｔｃｈｉｎｇ  ｈｙｓｔｅｒｅｓｉｓ）を有する。
【００１８】
本発明のさらにもう一つの好適な成果によれば、入力電圧信号の第１の電圧レベルがスイッチオン閾値未満である限り、回路配置の入力インピーダンスは、低い値を有する。便宜上、もし入力電圧信号の第１の電圧レベルがスイッチオン閾値を上回るならば、回路配置の入力インピーダンスは高い値を有する。
【００１９】
本発明のさらにもう一つの好適な成果によれば、もし、入力電圧信号の第１の電圧レベルがスイッチオン閾値を上回るならば、入力インピーダンス転換ユニットは、スイッチオンの瞬間、回路配置の入力インピーダンスを低い値から高い値へ変える。
【００２０】
望ましくは、スイッチオン瞬間の後で、遅延時間期間が経過した後、もし入力電圧信号の第１の電圧レベルがスイッチオン閾値を上回るならば、回路配置の入力インピーダンスは、転換の瞬間（ｃｈａｎｇｅｏｖｅｒ  ｉｎｓｔａｎｔ）に、高い値から低い値へと変えられる。
【００２１】
本発明のさらにもう一つの好適な成果によれば、スイッチオン瞬間の後で、遅延時間期間が経過した後、もし入力電圧信号の第１の電圧レベルがスイッチオン閾値を上回るならば、出力信号は転換の瞬間で変わる。
【００２２】
有利に、スイッチオンの瞬間から転換の瞬間までの遅延時間期間の間の回路配置への入力電流は、転換の瞬間の後よりも、より高い電流値を仮定する。
【００２３】
このような方法で、本発明に係る、出力信号に入力電圧信号をコンバートするための電子回路配置、および、対応する変換方法は、干渉の影響を受けず正確にスイッチオン瞬間を規定することを可能なものとし、電力損失の増加を回避させる。
【発明を実施するための最良の形態】
【００２４】
図において、同一であるか機能的に同一の部品またはステップには同一の参照符号を付した。
【００２５】
図１は、本発明の１つの好適な例示的実施形態に係る出力信号に入力電圧信号をコンバートするための電子回路配置の概略ブロック図を示す。図１に示すように、一次側回路機器１００は、カップラ機器３００を介して二次側回線機器２００に接続される。
【００２６】
カップラ機器３００は、オプトカップラとしてまたはＧＭＲカップラ（Ｇｉａｎｔ  Ｍａｇｎｅｔｉｃ  Ｒｅｓｉｓｔａｎｃｅ  ｃｏｕｐｌｅｒ）として形成されることができる。処理される入力電圧信号４０１は、一次側回路機器１００に印加され、回路配置内の入力電流４０３に至る。入力ユニット１０１は、入力電圧信号４０１、および、入力電流４０３を入力するために役に立つ。
【００２７】
入力信号は第１に、一次側フィルタユニット１０２に送られる。そして、それは入力電圧信号の粗い干渉を除去する。本発明に係る電子回路配置の主要エレメントは、入力インピーダンス転換ユニットである。そして、それは、参照符号１０３によって示される。転換信号４１７は、トリガーユニット１０６によって入力インピーダンス転換ユニットに送られる。そして、それは後述する。
【００２８】
転換信号４１７による、入力インピーダンス転換ユニット１０３で、電子回路配置の入力インピーダンスは、すなわち入力ユニット１０１に入力電圧信号４０１、および、入力電流４０３を入力すると見られる入力インピーダンスであり、低い入力インピーダンス値から高い入力インピーダンス値へ、および、その逆に変えられる。
【００２９】
入力電圧信号のレベル変化が外部の干渉の最小の可能な影響で検出されるときに、低い入力インピーダンス値が必要であり、一方、回路配置に流れ込む入力電流４０３が制限され、したがって、過剰な電力損失が回避されるときに、入力インピーダンスの高い値が必要であると指摘されるべきである。
【００３０】
閾値比較ユニット１０４は、入力インピーダンス転換ユニット１０３の下流に接続される。図２（ａ）に関して後述するように、閾値比較ユニット１０４で、入力電圧信号４０１は、出力信号４０２がスイッチを入れられる場合のスイッチオン閾値４０４と、出力信号４０２がスイッチオフの場合のスイッチオフ閾値４０５との両方と比較される。
【００３１】
閾値比較ユニット１０４の下流に接続される電流源１０５は、電流源制御信号によって制御される。そして、その電流源は、カップラ機器３００に転送信号４１６として電流を送る。さらにまた、トリガーユニット１０６は、閾値比較ユニット１０４の下流に接続される。そして、そのトリガーユニットは、トリガーユニット制御信号４１５を用いて閾値比較ユニット１０４によって対象とされる。スイッチオン動作、転換動作、および、スイッチオフ動作、更には対応する遅延時間は、図２（ａ）、図２（ｂ）、および、図２（ｃ）を参照して以下で説明される。
【００３２】
図１に示される二次側回路機器２００は、カップラ機器３００、および、コントロールユニット２０２からの電気信号出力にフィルターをかけるための二次側フィルタユニット２０１を有する。コントロールユニット２０２は、カップラ機器２００を介して一次側回路機器１００から受けた信号を処理し、出力ユニット２０３を介して出力信号４０２を出力する。前記出力信号は、図２（ｂ）の下で示されている。
【００３３】
第１の電圧レベルを有する入力電圧信号を第２の電圧レベルを有する出力信号にコンバートするための電子回路配置のファンクションは、図２（ａ）、図２（ｂ）、および、図２（ｃ）を参照してここで説明される。図２は、全体にわたるタイミング図を示し、入力電圧値４０７の、出力電圧値４０８の、および入力電流値４０９の時間４０６に対するプロファイルであり、時間経過で他の下に関連する方法で示す。
【００３４】
図２（ａ）は、時間４０６の関数として、入力電圧値４０７を示し、上述したスイッチオン閾値４０４およびスイッチオフ閾値４０５が、図２（ａ）で（破線の水平線）、同時に記載されている。
【００３５】
図２（ａ）〜図２（ｃ）に示されるその電圧、および、電流のプロファイルは、本発明の基本的な機能原則を解明するためのみの実施例であることを指摘する。
【００３６】
参照符号４１１によって示されるスイッチオン瞬間で、零レベルから第１の電圧レベルへの入力電圧信号の遷移は、行われる。
【００３７】
入力電圧信号４０１の零レベルから第１の電圧レベルへのこの遷移は、出力信号４０２（図２（ｂ）を参照）が零レベルから第２の電圧レベルに同様に上がる効果を有することを目的とされる。しかしながら、図２で分かるように、このような上昇は、遅延時間期間４１０だけの後で、行われる。そして、それは、閾値比較ユニット１０４でセットされることができる。遅延時間期間４１０は、転換の瞬間４１２と、スイッチオン瞬間４１１との間の時間的な間隔である。図１に関して上記のように、転換信号４１７が前記閾値比較ユニットに送られるというような方法で、トリガーユニット１０６が閾値比較ユニット１０４にフィードバックを提供する。
【００３８】
入力インピーダンス転換ユニット１０３がスイッチオン瞬間４１０で低い入力インピーダンス値を有するのに対して、前記値は、転換の瞬間４１２で高い入力インピーダンス値に変えられる。閾値比較ユニット１０４は、電流源制御信号によって電流源１０５を動かす。前記電流源は、転送信号４１６がカップラ機器３００を介して伝えられる効果を有する。そして、その信号はそれで、出力信号４０２の、零レベルから、第２の電圧レベルまで、上昇して二次側に導く。
【００３９】
結果は、図２（ｂ）に示すように、出力信号４０２がスイッチオン瞬間４１１の後、遅延時間期間４１０だけの後、入力電圧信号４０１の電圧プロファイルに従う。このような転換方法の主要利点は、遅延時間期間４１０の間に、電子回路配置の入力ユニット１０１に存在する干渉が、例えば、転換の瞬間に影響を及ぼさないという事実にある。
【００４０】
その理由は、電子回路配置が、スイッチオン瞬間４１１と、転換の瞬間４１２との間の時間の入力インピーダンスの低い値を有するという事実である。ここで図２の下部、すなわち図２（ｃ）のプロファイルに示すように、高い入力電流４０３が回路配置に流れ込んでいる。
【００４１】
前記高い入力電流４０３は、転換の瞬間４１２で低い電流（一般的に１ｍＡ）に減少される。そうすると、回路配置の電力損失は、許される最大値を上回ることができない。
【００４２】
さらにまた、図２（ａ）〜（ｃ）は、スイッチオフ瞬間４１３を示し、それは、第１の電圧レベルから零レベルまでの入力電圧信号４０１のスイッチオフを表す。高入力インピーダンス値から低入力インピーダンス値への転換が転換の瞬間４１２ですでに遂行されたという理由から、電子回路配置の入力インピーダンスがスイッチオフ瞬間で高い値であると仮定することを指摘されるべきである。しかしながら、これは、入力干渉に関して重要でない。その理由は、入力電圧信号４０１のスイッチを切るときに、入力ユニット１０１の低インピーダンスターミネーションは、いずれにしろ提供されるからである。
【００４３】
その結果として、全体の電子回路配置の電力損失が極端に増加することなしで、干渉のない、および、高信頼性を有する入力電圧信号４０１のスイッチオンを検出することは、可能である。
【００４４】
望ましくは、入力インピーダンス転換ユニットは、制御電流の場合に、スイッチを入れられる電界効果トランジスタ（ＦＥＴ）を含む。残りの入力電流プロファイル４０３の電流値が数ミリアンペア（ｍＡ）だけである一方、遅延時間期間４１０の間の入力電流４０３のピーク値（図２（ｃ）に示される）は、数アンペアであることができる。
【００４５】
本発明が好適な例示的実施形態を基礎として上で記載されているが、それは、それに限定されるものではなく、多様な方法でむしろ修正されうるべきものである。
【００４６】
さらに、本発明は、言及されたアプリケーションの可能性に、限定されるものではない。
【００４７】
本発明の典型的な実施形態は、図面において示され、下記の説明において更に詳細に説明される。図面の説明は以下の通りである。
【００４８】
図において、同一であるか機能的に同一の部品またはステップには同一の参照符号を付した。
【図面の簡単な説明】
【００４９】
【図１】本発明の好ましい一実施例に係る出力信号に入力電圧信号をコンバートするための電子回路配置のブロックダイヤグラムを示す。
【図２】本発明の１つの好適な例示的実施形態に係る、図１に示される回路配置に関する入力信号、および、出力信号を示すためのタイミング図を示す。
【符号の説明】
【００５０】
１００…一次側回路機器、  １０１…入力ユニット、  １０２…一次側フィルタユニット、  １０３…入力インピーダンス転換ユニット、  １０４の閾値比較ユニット、  １０５…電流源、  １０６…トリガーユニット、  ２００…二次側回路機器、  ２０１…二次側フィルタユニット、  ２０２…コントロールユニット、  ２０３…出力ユニット、  ３００…カップラ機器、  ４０１…入力電圧信号、  ４０２…出力信号、  ４０３…入力電流、  ４０４…スイッチオン閾値、  ４０５…スイッチオフ閾値、  ４０６…時間、  ４０７…入力電圧値、  ４０８…出力電圧値、  ４０９…入力電流値、  ４１０…遅延時間期間、  ４１１…スイッチオン瞬間、  ４１２…転換瞬間、  ４１３…スイッチオフ瞬間、  ４１４…電流源制御信号、  ４１５…トリガーユニット制御信号、  ４１６…転送信号、  ４１７…転換信号。
【図１】
2008086022.tif 000003
【図２】
2008086022.tif 000004
【外国語明細書】
2008086022000001.pdf